(57)【要約】【課題】  ヒンジ部が破損した場合にあっても、保護機能を十分に発揮しうるプロテクタを提供する。【解決手段】  プロテクタ構成部材２，３同士をそれぞれの外壁部８，９の端部においてヒンジ部１０を介して接続して構成され、プロテクタ構成部材２，３の端部同士を突き合わせた状態で被取り付け部材に取り付けるプロテクタ１であって、プロテクタ構成部材２の外壁部８の端部に突出部１７を設け、突出部１７を、前記プロテクタ構成部材２とプロテクタ構成部材３の端部同士を突き合わせた時にプロテクタ構成部材３の外壁部９の端部と重なり合うように形成した。【選択図】  図３
2005278262.tif 000002
【特許請求の範囲】
【請求項１】
底壁と該底壁に立設された側壁とで外壁部が形成される複数のプロテクタ構成部材を備え、隣り合う該プロテクタ構成部材同士をそれぞれの前記外壁部の端部においてヒンジ部を介して接続して構成され、前記隣り合うプロテクタ構成部材の端部同士を突き合わせた状態で被取り付け部材に取り付けるプロテクタであって、
前記隣り合うプロテクタ構成部材のうちの何れか一方のプロテクタ構成部材の前記外壁部の端部に突出部を設け、該突出部を、前記隣り合う一方のプロテクタ構成部材と他方のプロテクタ構成部材の端部同士を突き合わせた時に前記他方のプロテクタ構成部材の前記外壁部の端部と重なり合うように形成した
ことを特徴とするプロテクタ。
【請求項２】
前記他方のプロテクタ構成部材の前記外壁部の端部の内面側に、前記一方のプロテクタ構成部材と他方のプロテクタ構成部材の端部同士を突き合わせた時に前記突出部を受け入れるための受け入れ凹部を形成した
ことを特徴とする請求項１に記載のプロテクタ。
【請求項３】
前記被取り付け部材としてのワイヤハーネスに取り付けた前記プロテクタ構成部材の前記底壁と側壁とで構成される内部空間に前記ワイヤハーネスを収容する請求項１又は２に記載のプロテクタであって、
前記内部空間に収容されたワイヤハーネスの配索方向に沿って形成され且つ前記底壁に立設されている仕切壁を前記各プロテクタ構成部材の内部空間に備え、前記隣り合うプロテクタ構成部材のうちの何れか一方のプロテクタ構成部材の前記仕切壁の端部に挿入突出部を形成し、前記一方と他方のプロテクタ構成部材の端部を突き合わせた時に前記挿入突出部が挿入される被挿入部を、前記他方のプロテクタ構成部材の前記仕切壁の端部に形成した
ことを特徴とするプロテクタ。
【請求項４】
前記被取り付け部材としてのワイヤハーネスに取り付けた前記プロテクタ構成部材の前記底壁と側壁とで構成される内部空間に前記ワイヤハーネスを収容する請求項１，２又は３に記載のプロテクタであって、
前記隣り合うプロテクタ構成部材のうちの何れか一方のプロテクタ構成部材の前記側壁の端部に挿入突出部を設け、前記一方と他方のプロテクタ構成部材の端部を突き合わせた時に前記挿入突出部が挿入される被挿入部を、前記他方のプロテクタ構成部材の前記側壁の端部に設けた
ことを特徴とするプロテクタ。
【請求項５】
前記一方のプロテクタ構成部材と前記他方のプロテクタ構成部材の突き合わせ端部に、前記一方と他方のプロテクタ構成部材同士を係止させ合うための係止手段を設けた
ことを特徴とする請求項１，２，３又は４に記載のプロテクタ。
【発明の詳細な説明】
【技術分野】
【０００１】
本発明は、車両に配索されるワイヤハーネス等を保護するためのプロテクタに関する。
【背景技術】
【０００２】
自動車などにおいては、自動車内のバッテリと各種電装品とを接続するためにワイヤハーネスが配索されており、かかるワイヤハーネスには、ワイヤハーネスを構成する電線束の破損等を防止するため、合成樹脂製のプロテクタが取り付けられている。
【０００３】
前記自動車内のワイヤハーネスが、車体内の狭く曲がりくねった配線用空間に配索されている場合、前記プロテクタもこれに合わせて曲がりくねった複雑な形状としなければならない。
【０００４】
このようにプロテクタの形状が複雑な形状となる場合、かかるプロテクタを、型によって一体成型しようとした場合には、型の形状が複雑となってしまう。このため、複雑な形状のプロテクタを、複数の部材（プロテクタ構成部材）に分け、個々のプロテクタ構成部材毎に成形してこれをワイヤハーネスに取り付けていた。
【０００５】
しかしながら、複数の部材に分けた場合、品番の増加を招いたり、運搬等の管理に手間がかかる等の問題がある。そこで、個々のプロテクタ構成部材を、ヒンジ部を介して接続して構成されるプロテクタが知られている（例えば、特許文献１参照。）。かかるプロテクタにおいては、型抜きが容易な形状となるように前記ヒンジ部で各プロテクタ構成部材を折り曲げた状態で一体に成型することから、型の形状が複雑とならず、しかも、各プロテクタ構成部材がヒンジ部を介して接続されていることから、品番の増加という問題や、運搬等の管理に時間がかかるという問題を生じない。
【特許文献１】実開昭６３−１１３４１６号公報
【発明の開示】
【発明が解決しようとする課題】
【０００６】
このように、複数のプロテクタ構成部材をヒンジ等で接続して構成され、各プロテクタ構成部材を一体成型することにより形成されるプロテクタによれば、個々のプロテクタ構成部材毎に成形するプロテクタが有している問題点を生じない点でメリットがあるものの、ヒンジ部の強度は他の部分に比べて劣ることから、特に、プロテクタが車外に取り付けられる場合などにあっては、ヒンジ部でプロテクタが破損するおそれがある。このようなヒンジ部の破損により、各プロテクタ構成部材の間には隙間が形成されることとなる。したがって、ヒンジ部が破損したプロテクタは、ワイヤハーネスの保護機能が十分に発揮されないこととなる。
【０００７】
本発明の目的は、ヒンジ部が破損した場合にあっても、保護機能を十分に発揮しうるプロテクタを提供することにある。
【課題を解決するための手段】
【０００８】
上記課題を解決するために、請求項１に記載の発明は、底壁と該底壁に立設された側壁とで外壁部が形成される複数のプロテクタ構成部材を備え、隣り合う該プロテクタ構成部材同士をそれぞれの前記外壁部の端部においてヒンジ部を介して接続して構成され、前記隣り合うプロテクタ構成部材の端部を突き合わせた状態で被取り付け部材に取り付けるプロテクタであって、前記隣り合うプロテクタ構成部材のうちの何れか一方のプロテクタ構成部材の前記外壁部の端部に突出部を設け、該突出部を、前記隣り合う一方のプロテクタ構成部材と他方のプロテクタ構成部材の端部同士を突き合わせた時に前記他方のプロテクタ構成部材の前記外壁部の端部と重なり合うように形成したことを特徴とする。
【０００９】
請求項２に記載の発明は、請求項１に記載の前記他方のプロテクタ構成部材の前記外壁部の端部の内面側に、前記一方のプロテクタ構成部材と他方のプロテクタ構成部材の端部同士を突き合わせた時に前記突出部を受け入れるための受け入れ凹部を形成したことを特徴とする。
【００１０】
請求項３に記載の発明は、前記被取り付け部材としてのワイヤハーネスに取り付けた前記プロテクタ構成部材の前記底壁と側壁とで構成される内部空間に前記ワイヤハーネスを収容する請求項１又は２に記載のプロテクタであって、前記内部空間に収容されたワイヤハーネスの配索方向に沿って形成され且つ前記底壁に立設されている仕切壁を前記各プロテクタ構成部材の内部空間に備え、前記隣り合うプロテクタ構成部材のうちの何れか一方のプロテクタ構成部材の前記仕切壁の端部に挿入突出部を形成し、前記一方と他方のプロテクタ構成部材の端部を突き合わせた時に前記挿入突出部が挿入される被挿入部を、前記他方のプロテクタ構成部材の前記仕切壁の端部に形成したことを特徴とする。
【００１１】
請求項４に記載の発明は、前記被取り付け部材としてのワイヤハーネスに取り付けた前記プロテクタ構成部材の前記底壁と側壁とで構成される内部空間に前記ワイヤハーネスを収容する請求項１，２又は３に記載のプロテクタであって、前記隣り合うプロテクタ構成部材のうちの何れか一方のプロテクタ構成部材の前記側壁の端部に挿入突出部を設け、前記一方と他方のプロテクタ構成部材の端部を突き合わせた時に前記挿入突出部が挿入される被挿入部を、前記他方のプロテクタ構成部材の前記側壁の端部に設けたことを特徴とする。
【００１２】
請求項５に記載の発明は、請求項１，２，３又は４に記載の前記一方のプロテクタ構成部材と前記他方のプロテクタ構成部材の突き合わせ端部に、前記一方と他方のプロテクタ構成部材同士を係止させ合うための係止手段を設けたことを特徴とする。
【発明の効果】
【００１３】
請求項１に記載の発明によれば、隣り合うプロテクタ構成部材の端部を突き合わせた状態で被取り付け部材に取り付けられているプロテクタは、隣り合うプロテクタ構成部材のうちの何れか一方のプロテクタ構成部材の外壁部の端部に設けられた突出部が、他方のプロテクタ構成部材の外壁部の端部と重なり合っていることから、前記ヒンジ部が破損したとしても、保護機能を十分に発揮することができる。
【００１４】
請求項２に記載の発明によれば、前記隣り合うプロテクタ構成部材の端部を突き合わせた状態で被取り付け部材に取り付けられているプロテクタは、前記一方のプロテクタ構成部材の外壁部の端部に設けられた突出部が、前記他方のプロテクタ構成部材の外壁部の端部の内面側に形成された前記受け入れ凹部に位置している。これにより、プロテクタの内面側、すなわち、被取り付け部材側の面において、前記他方のプロテクタ構成部材の外壁部と重なり合う前記突出部が、プロテクタの内面側に突出せず、段差を生じることがない。
【００１５】
請求項３に記載の発明によれば、前記一方のプロテクタ構成部材の仕切壁の端部に形成された挿入突出部を、前記他方のプロテクタ構成部材の仕切壁の端部に形成された被挿入部に挿入して、これら一方及び他方の隣り合うプロテクタ構成部材の端部を突き合わせた状態で被取り付け部材にプロテクタを取り付ける。このような状態で被取り付け部材に取り付けられているプロテクタは、一方のプロテクタ構成部材の仕切壁の挿入突出部が、他方のプロテクタ構成部材の仕切壁の被挿入部に挿入されていることから、捻りなどに対する強度を向上させることができる。
【００１６】
請求項４に記載の発明によれば、前記隣り合うプロテクタ構成部材の端部を突き合わせた状態で被取り付け部材に取り付けられているプロテクタは、隣り合うプロテクタ構成部材のうちの何れか一方のプロテクタ構成部材の側壁の挿入突出部が、他方のプロテクタ構成部材の側壁の被挿入部に挿入されていることから、捻りなどに対するプロテクタの強度を向上させることができる。
【００１７】
請求項５に記載の発明によれば、前記係止手段において前記一方のプロテクタ構成部材と他方のプロテクタ構成部材とを係止させることにより、プロテクタを形成してこれを被取り付け部材に取り付けることができる。
【発明を実施するための最良の形態】
【００１８】
以下、図面を参照して本発明を実施するための最良の形態の一例について詳細に説明する。 
図１は本発明に係るプロテクタの実施の形態の第１例を示す斜視図、図２は図１に示すプロテクタの一部省略図、図３は図１に示すプロテクタの一部拡大図、図４は図１に示すプロテクタの一部の断面図、図５は図４に示す状態からプロテクタ構成部材の端部同士を突き合わせた状態を示す断面図である。
【００１９】
図において、符号１は、被取り付け部材としての図示しないワイヤハーネスに取り付けるための実施の形態の第１例のプロテクタを示しており、このプロテクタ１は、プロテクタ構成部材２，３に分かれて構成されている。
【００２０】
前記プロテクタ構成部材２は、平面視略くの字形状に形成されており、前記プロテクタ構成部材３は、３次元形状に屈曲して形成されている。
【００２１】
また、各プロテクタ構成部材２，３は、それぞれ、底壁４，５と該底壁４，５の両側に立設された側壁６，６、側壁７，７とを有している。そして、前記底壁４と前記側壁６とで前記プロテクタ構成部材２に外壁部８が形成され、前記底壁５と前記側壁７とで前記プロテクタ構成部材３に外壁部９が形成されている。
【００２２】
前記プロテクタ構成部材２，３は、図２に示すように、前記外壁部８，９を構成する底壁４，５の隣り合う端部において、ヒンジ部１０を介して接続されており、かかるヒンジ部１０により、前記プロテクタ構成部材２，３が一体となって本例のプロテクタ１が構成されている。なお、図２は、図１に示すプロテクタ１を示しているが（プロテクタ構成部材３については一部省略）、プロテクタ構成部材２，３の形状は簡略化して描かれ、また、一部構成を省略して描かれている。
【００２３】
プロテクタ構成部材２，３は、それぞれ、前記外壁部８で囲まれる内部空間１１、及び前記外壁部９で囲まれる内部空間１２に、被取り付け部材としてワイヤハーネス（不図示）を収容した状態で該ワイヤハーネスに取り付けられるようになっている。
【００２４】
前記外壁部８で囲まれる内部空間１１、及び前記外壁部９で囲まれる内部空間１２は、それぞれ、仕切壁１３（１３ａ〜１３ｃ），１４（１４ａ〜１４ｃ）によって複数の空間１１ａ〜１１ｄ，１２ａ〜１２ｄに分かれて構成されている。この仕切壁１３，１４は、各プロテクタ構成部材２，３に３つずつ備えられている。そして、仕切壁１３，１４は、それぞれ、底壁４，５に立設されており、前記側壁６，７と平行な方向、すなわち、内部空間１１，１２に収容されるワイヤハーネスの配索方向に沿って形成されている。このような仕切壁１３，１４によって仕切られたそれぞれの空間１１ａ〜１１ｄ，１２ａ〜１２ｄにワイヤハーネスを構成する電線（不図示）が収容されるようになっている。
【００２５】
なお、図１において、符号１５は、プロテクタ構成部材２，３を車体に取り付けるための取付部、符号１６は、プロテクタ構成部材２，３に図示しない蓋部材を係止させるための被係止部を示している。
【００２６】
前記プロテクタ構成部材２の外壁部８のプロテクタ構成部材３側の端部（突き合わせ端部）には、突出部１７が形成されている。この突出部１７について、図３、図４を参照して詳しく説明すると、この突出部１７は、外壁部を構成する底壁４及び側壁６を延長させることによって形成されており、側壁６（図において手前側）及びこの側壁６から連続する底壁４ａのそれぞれの端部を延長した略Ｌ字状の部分１７ａ、側壁６（図において奥側）及びこの側壁６から連続する底壁４ｂのそれぞれの端部を延長した略Ｌ字状の部分１７ｂ、底壁４ｃ，４ｄの端部を延長した部分１７ｃ、１７ｄとで構成されている。かかる突出部１７は、プロテクタ構成部材２，３の端部同士を突き合わせた時に、プロテクタ構成部材３の外壁部９の端部と重なり合う長さを有して形成されており、仕切壁１３の端部（突き合わせ端部）よりも、プロテクタ構成部材３の端部に形成された受け入れ凹部（後述）の幅分だけ突出するようにして形成されている。
【００２７】
前記突出部１７の符号１７ａで示した部分と符号１７ｃで示した部分の間、符号１７ｃで示した部分と符号１７ｄで示した部分の間、符号１７ｄで示した部分と符号１７ｂで示した部分の間には、隙間１８ａ，１８ｂ，１８ｃが形成されている。これら隙間１８ａ，１８ｂ，１８ｃには、前記プロテクタ構成部材２，３の端部同士を突き合わせた時に、プロテクタ構成部材３の仕切壁１４ａ，１４ｂ，１４ｃが入り込むようになっている。
【００２８】
なお、符号１９は、プロテクタ構成部材２，３の端部同士を突き合わせた時に、プロテクタ構成部材３の側壁７に設けた係止アーム（後述）を係止させるためにプロテクタ構成部材２の端部（突き合わせ端部）に設けられた被係止部である。被係止部１９は、側壁６，６の外面側にそれぞれ設けられている。また、側壁６，６の端部には、被係止部１９への係止アーム（後述）の係止をスムーズに行うための切欠部２０が形成されている。
【００２９】
前記プロテクタ構成部材３の外壁部９のプロテクタ構成部材２側の端部には、プロテクタ構成部材２，３の端部を突き合わせた時に、前記突出部１７を受け入れるための受け入れ凹部２１が形成されている。この受け入れ凹部２１は、外壁部９の端部の内面を、突出部１７の肉厚分だけ窪ませることにより形成されている。受け入れ凹部２１の幅（端部からの長さ）は、前記突出部１７の突出長と同じ長さとなっている。また、受け入れ凹部２１は、突出部１７を構成する各部分１７ａ〜１７ｄに対応して、２１ａ〜２１ｄの４つの部分から構成されている。すなわち、符号２１ａで示す部分は、突出部１７ａを受け入れるための部分であり、側壁７（図において手前側）及びこの側壁７から連続する底壁５ａの内面を窪ませることにより形成され、符号２１ｂで示す部分は、突出部１７ｂを受け入れるための部分であり、側壁７（図において奥側）及びこの側壁７から連続する底壁５ｂの内面を窪ませることにより形成されている。また、符号２１ｃで示す部分は、突出部１７ｃを受け入れるための部分であり、底壁５ｃの内面を窪ませることにより形成され、符号２１ｄで示す部分は、突出部１７ｄを受け入れるための部分であり、底壁５ｄの内面を窪ませることにより形成されている。 
尚、受け入れ凹部２１が形成されている部分の外壁部９の外面側は突出形状となっている。
【００３０】
前記側壁６，６の端部（突き合わせ端部）には、前記被係止部１９に係止する係止突起２２ａを先端部に有する係止アーム２２が、側壁６，６の一部を延長突出させることにより形成されている。かかる係止アーム２２と前記被係止部１９とで、プロテクタ構成部材２，３の端部同士を突き合わせた時に該プロテクタ構成部材２，３同士を係止させ合うための係止手段が構成されている。
【００３１】
このような構成のプロテクタ１を被取り付け部材としてのワイヤハーネス（図示省略）に取り付けるには、先ず、プロテクタ構成部材２，３のヒンジ部１０側の端部（突き合わせ端部）同士を突き合わせ（図５参照）、係止アーム２２の係止突起２２ａを被係止部１９に係止させる。係止アーム２２を被係止部１９に係止させる際には、係止アーム２２を側壁６の端部に形成された切欠部２０の斜面を通過させながら被係止部１９に係止させる。
【００３２】
このように、プロテクタ構成部材２，３の端部を突き合わせて、その突き合わせ端部に設けられた係止アーム２２と被係止部１９とで構成される係止手段によってプロテクタ構成部材２，３同士を係止させることにより、プロテクタ構成部材２の内部空間１１とプロテクタ構成部材３の内部空間１２がつながり、ワイヤハーネス（図示省略）を収容するための内部空間が形成される。すなわち、内部空間１１ａ，１２ａ、内部空間１１ｂ，１２ｂ、内部空間１１ｃ，１２ｃ、内部空間１１ｄ，１２ｄがつながってワイヤハーネスを構成する電線（図示省略）を収容するための一連の空間が形成される。
【００３３】
プロテクタ構成部材２，３の端部同士を突き合わせた状態では、突出部１７（１７ａ〜１７ｄ）が受け入れ凹部２１（２１ａ〜２１ｄ）に位置する。すなわち、突出部１７はプロテクタ構成部材３の外壁部９の端部と内部空間１２側において重なり合った状態となる。そして、前記受け入れ凹部２１に位置する突出部１７とプロテクタ構成部材３の底壁６の境界部分には段差が無く、プロテクタ構成部材２の底壁４とプロテクタ構成部材３の底壁５とが、フラットな状態で続くようにしてプロテクタ１が形成されている。また、プロテクタ構成部材２，３の端部同士を突き合わせた状態では、隙間１８ａ〜１８ｃのそれぞれに、仕切壁１４ａ〜１４ｃが入り込み、これら仕切壁１４ａ〜１４ｃの端部は、それぞれ、仕切壁１３ａ〜１３ｃの端部に当接する。
【００３４】
そして、このようにしてプロテクタ構成部材２，３の端部同士を突き合わせて形成されたプロテクタ１の内部空間１１ａ〜１１ｄ，１２ａ〜１２ｄにワイヤハーネスを構成する電線（図示省略）を収容した後、プロテクタ１の両端部（各プロテクタ構成部材２，３のヒンジ部１０とは逆側の端部）から突出する電線の束（ワイヤハーネス）の両側をテープで固定する。そして、プロテクタ１を前記取付部１５において車体に固定する。なお、プロテクタ１には、図示しない蓋部材が取り付けられる。
【００３５】
以上説明した本例のプロテクタ１によれば、被取り付け部材としてのワイヤハーネス（図示省略）に取り付けられたときに、プロテクタ構成部材２の外壁部８の端部に設けられた突出部１７が、プロテクタ構成部材３の外壁部９の端部と重なり合っていることから、ヒンジ部１０が破損して、プロテクタ構成部材２とプロテクタ構成部材３とが分離したとしても、分離部においては、突出部１７により、内部空間１１，１２に収容されたワイヤハーネスの保護を図ることができ、プロテクタとしての保護機能を十分に発揮することができる。
【００３６】
また、プロテクタ部材２とプロテクタ部材３の端部同士を突き合わせて形成されたプロテクタ１においては、前記突出部１７が受け入れ凹部２１に位置しており、突出部１７が内部空間１１，１２（プロテクタ１の内面側）に突出せず、段差を生じないので、ワイヤハーネスの収容の邪魔とならない。 
尚、被係止部１９及び係止アーム２２は、側壁６，７のみではなく、仕切壁１３ａ〜１３ｃ，１４ａ〜１４ｃのそれぞれに設けてもよい。
【００３７】
次に、図６に基づき、本発明に係るプロテクタの実施の形態の第２例について説明する。なお、上記実施の形態の第１例と同様の構成については説明を省略する。
【００３８】
図６は本例のプロテクタの一部拡大図である。図において、符号３０は、本例のプロテクタを示しており、このプロテクタ３０を構成するプロテクタ構成部材２の仕切壁１３（１３ａ〜１３ｃ）の端部には、挿入突出部３１（３１ａ〜３１ｃ）が形成されている。挿入突出部３１（３１ａ〜３１ｃ）は、仕切壁１３（１３ａ〜１３ｃ）の端部を延長することにより形成されており、プロテクタ構成部材３の仕切壁１４の端部に形成された後述の被挿入部に挿入することができる長さを有して形成されている。そして、この挿入突出部３１（３１ａ〜３１ｃ）により、前記隙間１８（１８ａ〜１８ｃ）は、２つに分割されている。
【００３９】
プロテクタ３０を構成するプロテクタ構成部材３の仕切壁１４（１４ａ〜１４ｃ）には、前記挿入突出部３１（３１ａ〜３１ｃ）を挿入するための被挿入部３２（３２ａ〜３２ｃ）が形成されている。被挿入部３２（３２ａ〜３２ｃ）は、平面視略コの字形状となっていて、両側の壁部３２１（３２１ａ〜３２１ｃ）とこの両側の壁部３２１（３２１ａ〜３２１ｃ）の間の内部空隙３２２（３２２ａ〜３２２ｃ）とを有して形成されている。そして、プロテクタ構成部材２，３の端部同士を突き合わせた時に、前記内部空隙３２２（３２２ａ〜３２２ｃ）に前記挿入突出部３１（３１ａ〜３１ｃ）が挿入されるとともに、両側の壁部３２１（３２１ａ〜３２１ｃ）が２つに分割された隙間１８（１８ａ〜１８ｃ）のそれぞれに挿入されるようになっている。
【００４０】
以上のような本例のプロテクタ３０を被取り付け部材としてのワイヤハーネス（図示省略）に取り付ける際には、プロテクタ構成部材２の仕切壁１３（１３ａ〜１３ｃ）の端部に形成された前記挿入突出部３１（３１ａ〜３１ｃ）を、プロテクタ構成部材３の仕切壁１４（１４ａ〜１４ｃ）の端部に形成された被挿入部３２（３２ａ〜３２ｃ）の内部空隙３２２（３２２ａ〜３２２ｃ）に挿入して、プロテクタ構成部材２とプロテクタ構成部材３の端部同士を突き合わせ、この突き合わせ端部において、上記実施の形態の第１例と同様にして係止手段（係止アーム２２と被係止部１９）によりプロテクタ構成部材２とプロテクタ構成部材３とを係止させ、これをワイヤハーネスに取り付ける。このとき、プロテクタ構成部材２の突出部１７は、上記実施の形態の第１例と同様、受け入れ凹部２１に位置し、プロテクタ構成部材３の外壁部９の端部と内部空間１２側で重なり合った状態となっている。
【００４１】
なお、前記挿入突出部３１（３１ａ〜３１ｃ）を、前記被挿入部３２（３２ａ〜３２ｃ）の内部空隙３２２（３２２ａ〜３２２ｃ）に挿入するときには、被挿入部３２（３２ａ〜３２ｃ）の両側の壁部３２２（３２２ａ〜３２２ｃ）を、プロテクタ構成部材２側の隙間１８（１８ａ〜１８ｃ）に挿入する。
【００４２】
このような本例のプロテクタ３０によれば、上記実施の形態の第１例のプロテクタ１と同様の効果を有するとともに、被取り付け部材としてのワイヤハーネス（図示省略）を内部空間に収容したときに、該内部空間において、前記プロテクタ構成部材２の仕切壁１３に形成した挿入突出部３１（３１ａ〜３１ｃ）が、前記プロテクタ構成部材３の仕切壁１４に形成した被挿入部３２（３２ａ〜３２ｃ）に挿入されていることから、捻りなどに対する強度を向上させることができる。
【００４３】
なお、図示しないが、仕切壁１４だけでなく、側壁７，７の端部にも平面視略コの字形状の被挿入部を形成し、この被挿入部に、プロテクタ構成部材２の側壁６，６の端部（挿入突出部）を挿入するように構成してもよい。なお、この場合には、底壁４ａ，４ｂの側壁６，６側の端部に、図示しないが切欠部を形成して、プロテクタ構成部材２の側壁６，６の端部を、平面視略コの字形状に形成された前記被挿入部に挿入できるようにする。
【図面の簡単な説明】
【００４４】
【図１】本発明に係るプロテクタの実施の形態の第１例を示す斜視図。
【図２】図１に示すプロテクタの一部省略図。
【図３】図１に示すプロテクタの一部拡大図。
【図４】図１に示すプロテクタの一部の断面図。
【図５】図４に示す状態からプロテクタ構成部材の端部同士を突き合わせた状態を示す断面図。
【図６】本発明に係るプロテクタの実施の形態の第２例の一部拡大図。
【符号の説明】
【００４５】
１    プロテクタ
２，３    プロテクタ構成部材
４，５    底壁
６，７    側壁
８，９    外壁部
１０    ヒンジ部
１７    突出部
１９    被係止部
２１    受け入れ凹部
２２    係止アーム
３０    プロテクタ
３１    挿入突出部
３２    被挿入部
【図１】
2005278262.tif 000003
【図２】
2005278262.tif 000004
【図３】
2005278262.tif 000005
【図４】
2005278262.tif 000006
【図５】
2005278262.tif 000007
【図６】
2005278262.tif 000008